【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
シート状のまたはシート状に引き揃えられた複数の線状の被処理物を、横長のスリット状の開口部を通して炉外に配された折り返しロールで走行方向に複数回折り返し熱処理する熱処理炉であって、
前記被処理物の走行方向に対して交差方向に熱風を吹き込む熱風導入部と、該熱風を排出する熱風排出部を有する熱処理室と、
前記熱処理室の前後に、前記被処理物の走行方向に対して交差方向に熱風の循環機構を有するシール室と、
前記シール室の前記熱処理室と対向する側に、室内の気体を排出する排出部と前記気体を排ガス処理設備へ排出する排出手段を有するシール排気室から構成され、
前記熱処理室の熱風排出部と熱風導入部は加熱手段と送風手段を有する熱風循環路により連結され、
前記熱風循環路の途中には、排ガス処理設備へ分岐する枝路と新鮮熱風を導入する枝路を有し、
前記シール排気室の排出手段から前記排ガス処理設備への排出路の途中に前記シール排気室の排出部から排出された気体の少なくとも一部を、還送する枝路を有し、
前記シール排気室の排出部から排出された気体の少なくとも一部を還送する枝路は、前記熱風循環路、または、前記新鮮熱風を導入する枝路につながる導入路に接続されてなることを特徴とする熱処理炉。
【請求項２】
前記新鮮熱風を導入する枝路につながる導入路には予備加熱手段を有し、前記シール排気室の排出部から排出された気体の少なくとも一部を還送する枝路は、前記予備加熱手段の手前で前記新鮮熱風を導入する枝路につながる導入路に接続されてなる、請求項１記載の熱処理炉。
【請求項３】
前記予備加熱手段が前記排ガス処理設備の排ガスの熱を利用した熱交手段である、請求項２記載の熱処理炉。
【請求項４】
請求項１〜３のいずれかに記載の横型熱処理炉を用い、ポリアクロニトリル系繊維束を酸化性の熱風中で耐炎化処理する耐炎化繊維束の製造方法。
【請求項５】
請求項４に記載の製造方法で得られた耐炎化繊維束を、不活性雰囲気中で炭素化処理する炭素繊維の製造方法。
【手続補正２】
【補正対象書類名】明細書
【補正対象項目名】００１１
【補正方法】変更
【補正の内容】
【００１１】
【特許文献１】特開平１１−１７３７６１号公報
【特許文献２】特開２００７−２８４８４２号公報
【特許文献３】特開２００１−１９４０７１号公報
【手続補正３】
【補正対象書類名】明細書
【補正対象項目名】００１３
【補正方法】変更
【補正の内容】
【００１３】
本発明は前記課題を解決するために次の構成を有する。すなわち、 
（１）シート状のまたはシート状に引き揃えられた複数の線状の被処理物を、横長のスリット状の開口部を通して炉外に配された折り返しロールで走行方向に複数回折り返し熱処理する熱処理炉であって、
前記被処理物の走行方向に対して交差方向に熱風を吹き込む熱風導入部と、該熱風を排出する熱風排出部を有する熱処理室と、
前記熱処理室の前後に、前記被処理物の走行方向に対して交差方向に熱風の循環機構を有するシール室と、
前記シール室の前記熱処理室と対向する側に、室内の気体を排出する排出部と前記気体を排ガス処理設備へ排出する排出手段を有するシール排気室から構成され、
前記熱処理室の熱風排出部と熱風導入部は加熱手段と送風手段を有する熱風循環路により連結され、
前記熱風循環路の途中には、排ガス処理設備へ分岐する枝路と新鮮熱風を導入する枝路を有し、
前記シール排気室の排出手段から前記排ガス処理設備への排出路の途中に前記シール排気室の排出部から排出された気体の少なくとも一部を、還送する枝路を有し、
前記シール排気室の排出部から排出された気体の少なくとも一部を還送する枝路は、前記熱風循環路、または、前記新鮮熱風を導入する枝路につながる導入路に接続されてなることを特徴とする熱処理炉。
【手続補正４】
【補正対象書類名】明細書
【補正対象項目名】００１４
【補正方法】変更
【補正の内容】
【００１４】
（２）前記新鮮熱風を導入する枝路につながる導入路には予備加熱手段を有し、前記シール排気室の排出部から排出された気体の少なくとも一部を還送する枝路は、前記予備加熱手段の手前で前記新鮮熱風を導入する枝路につながる導入路に接続されてなる、（１）記載の熱処理炉。
【手続補正５】
【補正対象書類名】明細書
【補正対象項目名】００１５
【補正方法】変更
【補正の内容】
【００１５】
（３）前記予備加熱手段が前記排ガス処理設備の排ガスの熱を利用した熱交手段である、（２）記載の熱処理炉。
【手続補正６】
【補正対象書類名】明細書
【補正対象項目名】００１６
【補正方法】変更
【補正の内容】
【００１６】
（４）（１）〜（３）のいずれかに記載の横型熱処理炉を用い、ポリアクロニトリル系繊維束を酸化性の熱風中で耐炎化処理する耐炎化繊維束の製造方法。
【手続補正７】
【補正対象書類名】明細書
【補正対象項目名】００１７
【補正方法】変更
【補正の内容】
【００１７】
（５）（４）に記載の製造方法で得られた耐炎化繊維束を、不活性雰囲気中で炭素化処理する炭素繊維の製造方法。
【手続補正８】
【補正対象書類名】明細書
【補正対象項目名】００２６
【補正方法】変更
【補正の内容】
【００２６】
またシール排気室４は、被処理物Ａが出入りする横長のスリット状の開口部を有する糸条導入口および糸条導出口７を対向する２つの側壁に複数段有し、室内の気体を排出する排出部１２と、前記排出部１２と排ガス処理設備２２は排出ファン２０を有する排気路２１により連結している。ここで、排出ファン２０と排ガス処理設備２２の間の排気路２１に、枝路として還送路２７を有し、前記還送路２７は前記新鮮熱風を導入する導入路２６に接続されている。
【手続補正９】
【補正対象書類名】明細書
【補正対象項目名】００３６
【補正方法】変更
【補正の内容】
【００３６】
したがって本発明においては、排ガス処理設備２２に送られる排ガス量を削減するため、シール排気室４で排出される気体を再利用することに着目した。すなわち、本発明においては、シール排気室４から排ガス処理設備２２への排気路２１の途中に枝路として還送路２７を有し、前記還送路２７が熱処理室２の熱風循環路１６もしくは熱風循環路１６に導入している新鮮熱風導入路２６に接続していることを特徴とする。
【手続補正１０】
【補正対象書類名】明細書
【補正対象項目名】００３８
【補正方法】変更
【補正の内容】
【００３８】
なおシール排気室４で排出される気体のうち、排ガスとして燃焼処理する分と熱処理室２の新鮮給気エアとして再利用する分の量配分は、還送路２７、もしくは排気路２１の還送路２７の枝路から排ガス処理設備２２の間にダンパー等の流量制限を設けることによってコントロールすることが可能である。望ましくはシール排気室４で排出される気体の全てを新鮮給気エアとして再利用出来れば効果は非常に大きい。
【手続補正１１】
【補正対象書類名】明細書
【補正対象項目名】００４３
【補正方法】変更
【補正の内容】
【００４３】
［実施例１］太さ１．１デシテックスのＰＡＮ系のプリカーサー単糸を１２，０００本束ねた糸条を耐炎化処理した。熱処理室の上部に熱風導入部を設け、下部に熱風排出部を設けることで、熱処理室の上方から下方へ熱風を流し、糸条に対して上方から熱風を吹き付けた。熱風排出部から吸入した熱風は、再び熱風導入部に戻して循環使用した。熱風排出部と熱風導入部との間に設けたファンの回転数を変更し、熱風導入部および熱風排出部における風量を２５０，０００Ｎｍ３／ｈｒになるように制御した。また熱風循環経路には、排ガス処理設備へ１０，０００Ｎｍ３／ｈｒ分岐する枝路と新鮮熱風１０，０００Ｎｍ３／ｈｒを導入する枝路と、さらに加温用電気ヒーターを設置し、加温用電気ヒーターによって熱風導入部における熱風２５０，０００Ｎｍ３／ｈｒの平均温度が２５０℃になるように制御した。なお、新鮮熱風を導入する枝路は途中に排ガス処理設備の熱交を通ることで、新鮮熱風を予備加熱している。
【手続補正１２】
【補正対象書類名】明細書
【補正対象項目名】００４４
【補正方法】変更
【補正の内容】
【００４４】
同じく、シール室の上部に熱風排出部を設け、下部に熱風導入部を設けることで、熱処理室の上方の糸条導入口および糸条導出口からシール室へ流出してきた熱処理室流出ガスをシール室の上部で吸入し、その吸入した熱処理室流出ガスを循環させてシール室の下部に供給させた。熱風排出部と熱風導入部との間に設けたファンの回転数を変更し、熱風導入部および熱風排出部における風量を熱処理室の前後にて各１５，０００Ｎｍ３／ｈｒになるように制御した。また、熱風排出部と熱風導入部との間に設けた加温用電気ヒーターによって、熱風導入部における熱風の平均温度が２５０℃になるように制御した。
【手続補正１３】
【補正対象書類名】明細書
【補正対象項目名】００４５
【補正方法】変更
【補正の内容】
【００４５】
さらに、シール排気室の上部に排出部を設けることで、シール室の上方の糸条導入口および糸条導出口からシール排気室へ流出してきた熱処理室流出ガスをシール排気室の上部で排出している。排出部と排ガス処理設備との間に設けたファンの回転数を変更し、排出部における気体の排出量を合計１０，０００Ｎｍ３／ｈｒになるように制御した。排出部から排出した気体の温度は１５０℃であった。
【手続補正１４】
【補正対象書類名】明細書
【補正対象項目名】００４６
【補正方法】変更
【補正の内容】
【００４６】
また、シール排気室の排出部から排出した気体は、図２に示すように燃焼処理するため排ガス処理設備に持っていく分と、再利用のため熱処理室熱風循環路に持っていく分とに分けて搬送している。なお、それぞれの配分量は、切替ダンパーの開閉度の調整によって、排ガス処理分を５，０００Ｎｍ３／ｈｒ、再利用分を５，０００Ｎｍ３／ｈｒとちょうど半分ずつとなるように制御した。
【手続補正１５】
【補正対象書類名】明細書
【補正対象項目名】００４７
【補正方法】変更
【補正の内容】
【００４７】
排ガス処理分は、他の工程の排ガスと混合して、最終的に２５，０００Ｎｍ３／ｈｒの量で、排ガス処理設備にて８００℃にて燃焼処理させている。その際、燃焼させるためのエネルギー燃料として消費した灯油の量を測定した。また、熱処理室の熱風循環経路における加温用電気ヒーターの消費電力も測定した。測定結果を表１に示す。
【手続補正１６】
【補正対象書類名】明細書
【補正対象項目名】００５０
【補正方法】変更
【補正の内容】
【００５０】
［実施例３］太さ１．１デシテックスのＰＡＮ系のプリカーサー単糸を１２，０００本束ねた糸条を耐炎化処理した。シール排気室の排出部から排出した気体は、切替ダンパーの開閉度の調整によって、排ガス処理分を０Ｎｍ３／ｈｒ、再利用分を１０，０００Ｎｍ３／ｈｒと全て再利用するよう制御した。排ガス処理分は、他の工程の排ガスと混合して、最終的に２０，０００Ｎｍ３／ｈｒの量となる。
【手続補正１７】
【補正対象書類名】明細書
【補正対象項目名】００５２
【補正方法】変更
【補正の内容】
【００５２】
【表１】
2010223471.tif 000001
【手続補正１８】
【補正対象書類名】明細書
【補正対象項目名】００５３
【補正方法】変更
【補正の内容】
【００５３】
［比較例１］太さ１．１デシテックスのＰＡＮ系のプリカーサー単糸を１２，０００本束ねた糸条を耐炎化処理した。シール排気室の排出部から排出した気体は枝路なく、全て排ガス処理設備に持って行き燃焼処理している。概略図を図４に示す。
【手続補正１９】
【補正対象書類名】明細書
【補正対象項目名】００５４
【補正方法】変更
【補正の内容】
【００５４】
排ガス処理分は、他の工程の排ガスと混合して、最終的に３０，０００Ｎｍ３／ｈｒの量となる。その他の条件は実施例１と同じにした。結果を表１に示す。